(57)【要約】【課題】端末側に大きなリソースを用意することなく複数のプッシュサービスを受けることができる情報配信方法を提供する。【解決手段】サービスを提供する複数のサービスサーバから移動可能な端末に対してプッシュ型の情報配信を行う情報配信方法であって、複数のサービスサーバに代わって、端末に対してプッシュ型の情報配信を行うセンタシステムを備え、センタシステムと端末間の通信リンクは一つのままで、複数のサービスサーバが提供する複数のプッシュサービスを端末が受けるこを特徴とする。【選択図】    図１
2004280703.tif 000002
【特許請求の範囲】
【請求項１】
サービスを提供する複数のサービスサーバから移動可能な端末に対してプッシュ型の情報配信を行う情報配信システムであって、
複数のサービスサーバに代わって、前記端末に対してプッシュ型の情報配信を行うセンタシステムを備えたことを特徴とする情報配信システム。
【請求項２】
前記センタシステムは、
前記端末からの要求やセンサ情報のアップリンクを受け付け、理解し、必要な処理を起動する要求受付手段と、
前記サービスサーバの保持するページヘのアクセスを取り持つサービスサーバページアクセス手段と、
前記サービスサーバからのプッシュ配信要求を受付ける配信受付手段と、
前記配信受付手段によって受け付けたプッシュ要求に対して、前記端末の端末種別に応じた変換を施した後、前記端末へプッシュ配信する配信制御手段とからなることを特徴とする請求項１に記載の情報配信システム。
【請求項３】
前記情報配信システムは、
情報提供者からプッシュ配信する情報を前記サービスサーバに対して配信要求を行ったことをトリガとして情報配信動作を開始することを特徴とする請求項２に記載の情報配信システム。
【請求項４】
前記情報配信システムは、
前記端末が移動体に備えられ、該移動体の情報が前記端末から前記要求受付手段に対して送信したことをトリガとして情報配信動作を開始することを特徴とする請求項２に記載の情報配信システム。
【請求項５】
サービスを提供する複数のサービスサーバから移動可能な端末に対してプッシュ型の情報配信を行う情報配信方法であって、
複数のサービスサーバに代わって、前記端末に対してプッシュ型の情報配信を行うセンタシステムを備え、前記センタシステムと前記端末間の通信リンクは一つのままで、複数のサービスサーバが提供する複数のプッシュサービスを前記端末が受けるこを特徴とする情報配信方法。
【請求項６】
前記センタシステムは、
前記端末からの要求やセンサ情報のアップリンクを受け付け、理解し、必要な処理を起動する要求受付過程と、
前記サービスサーバの保持するページヘのアクセスを取り持つサービスサーバページアクセス過程と、
前記サービスサーバからのプッシュ配信要求を受付ける配信受付過程と、
前記配信受付過程によって受け付けたプッシュ要求に対して、前記端末の端末種別に応じた変換を施した後、前記端末へプッシュ配信する配信制御手過程とを有することを特徴とする請求項５に記載の情報配信方法。
【請求項７】
前記情報配信方法は、
情報提供者からプッシュ配信する情報を前記サービスサーバに対して配信要求を行ったことをトリガとして情報配信動作を開始することを特徴とする請求項６に記載の情報配信方法。
【請求項８】
前記情報配信方法は、
前記端末が移動体に備えられ、該移動体の情報が前記端末から前記要求受付過程に対して送信したことをトリガとして情報配信動作を開始することを特徴とする請求項６に記載の情報配信方法。
【請求項９】
サービスを提供する複数のサービスサーバから移動可能な端末に対して、複数のサービスサーバの代わって、前記端末に対してプッシュ型の情報配信を行うセンタシステムを備えたプッシュ型情報配信システムで動作する情報配信プログラムであって、
前記端末からの要求やセンサ情報のアップリンクを受け付け、理解し、必要な処理を起動する要求受付処理と、
前記サービスサーバの保持するページヘのアクセスを取り持つサービスサーバページアクセス処理と、
前記サービスサーバからのプッシュ配信要求を受付ける配信受付処理と、
前記配信受付過程によって受け付けたプッシュ要求に対して、前記端末の端末種別に応じた変換を施した後、前記端末へプッシュ配信する配信制御手処理とをコンピュータに行わせることを特徴とする情報配信プログラム。
【請求項１０】
前記情報配信プログラムは、
情報提供者からプッシュ配信する情報を前記サービスサーバに対して配信要求を行ったことをトリガとして情報配信動作を開始することを特徴とする請求項９に記載の情報配信プログラム。
【請求項１１】
前記情報配信プログラムは、
前記端末が移動体に備えられ、該移動体の情報が前記端末から前記要求受付過程に対して送信したことをトリガとして情報配信動作を開始することを特徴とする請求項９に記載の情報配信プログラム。
【発明の詳細な説明】
【０００１】
【発明の属する技術分野】
本発明は、移動端末を含むクライアントに様々な種類の情報をプッシュ配信する情報配信システム、情報配信方法及び情報配信プログラムに関する。
【０００２】
【従来の技術】
従来からセンタシステムからのトリガで、移動体端末等のクライアントに対して情報を送信する、いわゆるプッシュ型情報配信システムが知られている（特許文献１参照）。
【０００３】
【特許文献１】
特開２００２−１４９６８８号公報
【０００４】
【発明が解決しようとする課題】
特許文献１に記載のプッシュ型情報配信システムでは、情報をプッシュするプッシュコンテンツプロバイダは自身が持つコンテンツを提供するのみであり、その配信スケジューリングはそれぞれが固有の手法で行っている。エンドユーザが、複数のプッシュコンテンツプロバイダのサービスを同時に起動すると、それぞれのプッシュコンテンツプロバイダに対して、通信リンクを確保しなければならず、端末側に多大なリソースが必要になるという問題がある。
【０００５】
本発明は、このような事情に鑑みてなされたもので、端末側に大きなリソースを用意することなく複数のプッシュサービスを受けることができる情報配信システム、情報配信方法及び情報配信プログラムを提供することを目的とする。
【０００６】
【課題を解決するための手段】
請求項１に記載の発明は、サービスを提供する複数のサービスサーバから移動可能な端末に対してプッシュ型の情報配信を行う情報配信システムであって、複数のサービスサーバに代わって、前記端末に対してプッシュ型の情報配信を行うセンタシステムを備えたことを特徴とする。
【０００７】
請求項２に記載の発明は、前記センタシステムは、前記端末からの要求やセンサ情報のアップリンクを受け付け、理解し、必要な処理を起動する要求受付手段と、前記サービスサーバの保持するページヘのアクセスを取り持つサービスサーバページアクセス手段と、前記サービスサーバからのプッシュ配信要求を受付ける配信受付手段と、前記配信受付手段によって受け付けたプッシュ要求に対して、前記端末の端末種別に応じた変換を施した後、前記端末へプッシュ配信する配信制御手段とからなることを特徴とする。
【０００８】
請求項３に記載の発明は、前記情報配信システムは、情報提供者からプッシュ配信する情報を前記サービスサーバに対して配信要求を行ったことをトリガとして情報配信動作を開始することを特徴とする。
【０００９】
請求項４に記載の発明は、前記情報配信システムは、前記端末が移動体に備えられ、該移動体の情報が前記端末から前記要求受付手段に対して送信したことをトリガとして情報配信動作を開始することを特徴とする。
【００１０】
請求項５に記載の発明は、サービスを提供する複数のサービスサーバから移動可能な端末に対してプッシュ型の情報配信を行う情報配信方法であって、複数のサービスサーバに代わって、前記端末に対してプッシュ型の情報配信を行うセンタシステムを備え、前記センタシステムと前記端末間の通信リンクは一つのままで、複数のサービスサーバが提供する複数のプッシュサービスを前記端末が受けるこを特徴とする。
【００１１】
請求項６に記載の発明は、前記センタシステムは、前記端末からの要求やセンサ情報のアップリンクを受け付け、理解し、必要な処理を起動する要求受付過程と、前記サービスサーバの保持するページヘのアクセスを取り持つサービスサーバページアクセス過程と、前記サービスサーバからのプッシュ配信要求を受付ける配信受付過程と、前記配信受付過程によって受け付けたプッシュ要求に対して、前記端末の端末種別に応じた変換を施した後、前記端末へプッシュ配信する配信制御手過程とを有することを特徴とする。
【００１２】
請求項７に記載の発明は、前記情報配信方法は、情報提供者からプッシュ配信する情報を前記サービスサーバに対して配信要求を行ったことをトリガとして情報配信動作を開始することを特徴とする。
【００１３】
請求項８に記載の発明は、前記情報配信方法は、前記端末が移動体に備えられ、該移動体の情報が前記端末から前記要求受付過程に対して送信したことをトリガとして情報配信動作を開始することを特徴とする。
【００１４】
請求項９に記載の発明は、サービスを提供する複数のサービスサーバから移動可能な端末に対して、複数のサービスサーバの代わって、前記端末に対してプッシュ型の情報配信を行うセンタシステムを備えたプッシュ型情報配信システムで動作する情報配信プログラムであって、前記端末からの要求やセンサ情報のアップリンクを受け付け、理解し、必要な処理を起動する要求受付処理と、前記サービスサーバの保持するページヘのアクセスを取り持つサービスサーバページアクセス処理と、前記サービスサーバからのプッシュ配信要求を受付ける配信受付処理と、前記配信受付過程によって受け付けたプッシュ要求に対して、前記端末の端末種別に応じた変換を施した後、前記端末へプッシュ配信する配信制御手処理とをコンピュータに行わせることを特徴とする。
【００１５】
請求項１０に記載の発明は、前記情報配信プログラムは、情報提供者からプッシュ配信する情報を前記サービスサーバに対して配信要求を行ったことをトリガとして情報配信動作を開始することを特徴とする。
【００１６】
請求項１１に記載の発明は、前記情報配信プログラムは、前記端末が移動体に備えられ、該移動体の情報が前記端末から前記要求受付過程に対して送信したことをトリガとして情報配信動作を開始することを特徴とする。
【００１７】
【発明の実施の形態】
以下、本発明の一実施形態による情報配信システムを図面を参照して説明する。図１は同実施形態の構成を示す図である。図１を参照して、システム概要を説明する。この図において、符号１は、情報配信処理を行うセンタシステムである。符号２は、センタシステム１とネットワーク３によって接続された複数のサービスサーバであり、各種のサービスをユーザへ提供する。符号４は、インターネットであり、センタシステム１が接続される。符号５は、インターネット４と接続される移動通信網であり、移動可能な端末６との間で通信を確立する。
【００１８】
続いて、動作を簡単に説明する。まず、ユーザが端末６からサービスの開始を指示すると、端末６を備えた移動体（自動車）の移動にあわせて、端末６から移動体情報（位置情報、速度情報）をセンタシステム１へ送信する。センタシステム１は、コンテンツを保持し、サービスを提供するサービスサーバ２へ移動体情報を送信する。サービスサーバ２は複数あっても構わない。サービスサーバ２は、移動体情報をもとにコンテンツを検索し、センタシステム１ヘ返却する。あるいは、サービスサーバ２は、独自のスケジュールに基づき、センタシステム１ヘコンテンツをプッシュする。センタシステム１は、受け取った複数のサービスサーバ２からの配信コンテンツをユーザシーケンシャルに整理し、ユーザの指定（どのサービスを受けるのか）によってコンテンツをフィルタリングし、端末６ヘプッシュ配信する。
【００１９】
次に、図２を参照して、図１に示す装置の詳細な構成を説明する。端末６は、センタシステム１よりプッシュされる情報を受信する情報受信部６１と、図示しないＧＰＳ等のセンサ情報をセンタシステム１へ送信する情報送信部６２を備える。
【００２０】
センタシステム１は、端末６からの要求を受け付け、必要な処理を行い、あるいは外部に処理要求を送信し、端末６へ返却する結果を生成し送信する端末ＧＷ層１１と、サービスサーバ２からのプッシュ要求を受け付け、端末ＧＷ層１１ヘプッシュ要求を送信するサービスサーバＧＷ層１６からなる。
端末ＧＷ層１１は、端末６からの要求やセンサ情報のアップリンクを受け付け、理解し、必要な処理を起動する要求受付部１２と、サービスサーバ２の保持するページヘのアクセスを取り持つＳＳ（サービスサーバ）ページアクセス部１３と、サービスサーバＧＷ層１６からのプッシュ要求を受け付け、端末種別に応じた変換を施した後、端末６へとプッシュ配信する配信制御部１４と、個々の端末６の情報を管理する端末管理データベース１５を備える。
サービスサーバＧＷ層１６は、サービスサーバ２からのプッシュ配信要求を受付け、端末ＧＷ層１１へと伝達する配信受付部１７と、サービスサーバ２を管理するＳＳ（サービスサーバ）管理データベースを備える。
【００２１】
サービスサーバ２は、端末ＧＷ層１１からの要求に対して画面を返却したり、端末ＧＷ層１１から受信したアップリンク情報を受け付け、必要な処理を実行するサービス管理部２１と、配信コンテンツを取得しサービスサーバＧＷ層１６へ配信要求を送信する配信管理部２２と、情報提供者端末７からの登録要求を受け付ける登録受付部２３と、配信コンテンツを保持する配信情報データベース２４を備える。
【００２２】
次に、図３を参照して、ログイン／ログアウトの動作を説明する。まず、端末６は、サービス利用の認証を受けるために、要求受付部１２に対してログイン要求を送信する（ステップＳ１）。このログイン要求には、ユーザ本人のＩＤおよびパスワードのほかに、端末６のバージョン情報が含まれる。これを受けて、要求受付部１２では、ユーザＩＤ、パスワード情報に基づいて、端末管理データベース１５を参照し、ユーザ認証の可否を判断し、認証がされた場合、ログイン通知を端末６へ送信する（ステップＳ２）。認証後は、サービスサーバ２が提供するそれぞれのサービスページヘアクセスし、サービスを受ける（ステップＳ３）ことが可能となる。これによって、個々のサービスが個別にユーザ認証を行う必要がなくなり、サービスサーバ構築が容易になる。また、端末６のバージョンをセンタシステム１が管理することにより、サービスサーバ２は端末６のバージョン変更に伴う処理を意識することなく、サービスを提供することができる。ログアウトする場合は、端末６からログアウト要求を要求受付部１２へ送信し（ステップＳ４）、これを受けて、要求受付部１２は、端末６へログアウト通知を送信する（ステップＳ５）。
【００２３】
次に、図４を参照して、サービス開始／終了の動作を説明する。まず、サービスを受ける際に、端末６からサービス開始要求を送信する（ステップＳ１１）。
これを受けて、要求受付部１２は、サービスを要求しているユーザが、そのサービスを利用可能か否かをチェックする。さらに、開始しようとするサービスが、なんらかの車両情報アップリンクを必要とする場合、サービス開始通知の受信（ステップＳ１２，Ｓ１３）をもって、端末６は車両情報のアップリンクを開始する（ステップＳ１４，Ｓ１５）。車両情報アップリンクを必要としないサービスによっては、開始／終了手続きを経ずとも良い。また、複数のサービスを起動しているときに、ひとつでもアップリンクを必要としているサービスが起動されている場合には、他のサービスの終了要求をセンタシステム１が受信しても、アップリンクの終了は行わない。
【００２４】
現在受けているサービス及び利用可能なサービスの情報は、図５（ａ）に示すようにサービス開始時にデータベースにサービスサーバのＩＤ（ＳＳ＿ＩＤ）とユーザＩＤを関連付けて管理する。また、開始しようとするサービスが車両情報アップリンクを必要とするか否かは、図５（ｂ）に示すようにサービスサーバのＩＤ（ＳＳ＿ＩＤ）とアップリンクの有無を関連付けてデータベースに記録しておき、これを参照することにより判断する。
【００２５】
サービス終了においては、同様にサービス終了要求を送信（ステップＳ１７）し、サービス終了通知受信（ステップＳ１８、Ｓ１９）をもって、車両情報アップリンク（ステップＳ２０、Ｓ２１）を停止し、サービス終了通知を端末６へ送信する（ステップＳ２２）。
【００２６】
次に、図６を参照して、サービスサーバ（ＳＳ）２のページアクセス動作を説明する。サービスサーバ２は、サービスに特化した設定情報の操作画面など、サービス固有の画面を保持をする。たとえば、配信情報コンテンツのジャンル設定といった、個人プロファイル情報操作画面などである。端末６は、端末ＧＷ層１１のＳＳページアクセス部１３に対して、サービスサーバのページを要求する（ステップＳ３１）。ＳＳページアクセス部１３は、端末６に代わってサービスサーバ２にページを要求（ステップＳ３２）し、その結果を受け取る（ステップＳ３３）。そして、ＳＳページアクセス部は、端末管理データベース１５より端末固有の情報を受け取り、端末６に合わせた変換を施した後、端末６へページ応答を返す（ステップＳ３４）。
【００２７】
次に、図７を参照して、情報配信動作を説明する。サービスサーバ２の配信管理部２２は、サービスサーバＧＷ層１６の配信受付部１７に対して、配信コンテンツを送信する（ステップＳ４１）。サービスサーバＧＷ層１６の配信受付部１７は、不正アクセスを防止するため、送信元のサービスサーバアドレスによって、センタシステム１を利用可能なサーバであるか否かの認証を行う。この結果認証された場合、配信受付部１７は、配信幹部２２へコンテンツ受付通知を送信する（ステップＳ４２）。
【００２８】
次に、配信受付部１７は、ユーザの嗜好性とサービスとのマッチングによるフィルタリング処理を施した後、配信制御部１４へ配信要求を行う（ステップＳ４３、Ｓ４４）。これを受けて配信制御部１４は、受信した配信情報を端末種別に応じてフォーマットを変換し、端末６ヘプッシュ配信する（ステップＳ４５）。
そして、サービスサーバ２が送信確認を行うため、端末６は、プッシュ配信の受信確認を、端末ＧＷ層１１の配信制御部１４へ送り（ステップＳ４６）、サービスサーバ２へと転送される（ステップＳ４７，Ｓ４８）。
【００２９】
次に、図８を参照して、情報提供者端末７から配信要求を受けた場合の動作を説明する。これは、プッシュ情報配信において、外部の情報提供者端末７からの配信要求がトリガになって端末６へプッシュ配信が発生する場合の動作である。
電子メールのように、メール送信者（情報提供者）が情報提供者端末７から送信したメール配信要求をサービスサーバ２の登録受付部２３が受信する（ステップＳ５１）と、登録受付部２３が配信管理部２２へ通知し、情報配信が発生する。
情報配信動作は、前述した通りであるのでここでは説明を省略する。メールの他にも、スーパーマーケットの特売情報など、広告が登録された時点で一斉同報したり、事故情報が登録された時点で付近の車両へ一斉同報する、などの利用が可能である。
【００３０】
次に、図９を参照して、車両に備えた端末６からの車両情報を受信した場合の動作を説明する。これは、プッシュ情報配信において、端末６が自動的にアップリンクする車両情報がトリガになって、端末６へプッシュ配信が発生する場合の動作である。例えば、位置情報をアップリンクし、周辺のレストラン情報を配信するようなサービスを例にすると、端末６からアップリンクされた車両情報（ここでは位置情報）を受信した（ステップＳ６１）要求受付部１２は、車両ＩＤ（あるいはユーザＩＤ）と、車両情報を、サービスサーバ２のサービス管理部２１へ通知する（ステップＳ６２）。サービス管理部２１は、この車両情報を受け取ると、要求受付部１２を介して、端末６へ車両情報を受け取ったことを通知する（ステップＳ６３，Ｓ６４）。
【００３１】
また、サービスサーバ２が複数ある場合、要求受付部２３は、データベースを参照し、アップリンクした端末６が現在実行しているサービスのサービスサーバ２を抽出し、そのサービスサーバ２にのみ通知する。サービス管理部２１は、位置情報と自身が管理するコンテンツとを比較し、該当するコンテンツをピックアップし、情報配信処理を起動する。情報配信動作は前述した通りであるのでここでは説明を省略する。
【００３２】
次に、端末６が複数のプッシュ配信サービスを同時に起動した場合の動作を説明する。端末６が複数のプッシュ配信サービスを同時に起動した場合、各サービスサーバ２は独自のタイミングで配信要求をサービスサーバＧＷ層１６の配信受付部１７に送信する。これを受けて、配信受付部１７は、最初に配信要求を受け付けてから所定時間（配信受付時間）の間、他のサービスサーバ２からの配信要求を受付け、バッファリングしておく。そして、配信受付時間が終了したとき、期間内に受け付けた情報をフィルタリング（例えば、ユーザが送信元サービスサーバ２の情報を「受ける」と宣言しているもののみ残すなど）し、残ったコンテンツをシーケンシャルに並べ、端末ＧＷ層１１へと送信する。端末ＧＷ層１１の配信制御部１４は、端末６から受信した情報受信メッセージより、コンテンツ送信元のサービスサーバ２に対して、端末６への送信結果を送信する。
【００３３】
このように、端末６が持つ通信リンクは一つのままで、複数のプッシュサービスを同時に受けることが可能となる。また、プッシュサービスを提供する事業者は、それぞれが独自のプッシュスケジュールを計画し、センタシステム１に要求することができる。また、ユーザ認証等の機能をセンタシステム１にもつことで、サービスを提供する事業者は、ユーザ管理する機能をセンタシステム１に任せることが可能となる。
【００３４】
なお、図２における各処理部の機能を実現するためのプログラムをコンピュータ読み取り可能な記録媒体に記録して、この記録媒体に記録されたプログラムをコンピュータシステムに読み込ませ、実行することにより情報配信処理を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００３５】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００３６】
【発明の効果】
以上説明したように、この発明によれば、端末持つ通信リンクは一つのままで、複数のプッシュサービスを同時に受けることが可能になるという効果が得られる。また、プッシュサービスを提供する事業者は、それぞれが独自のプッシュスケジュールを計画し、センタシステムに要求することができるという効果が得られる。また、ユーザ認証等の機能をセンタシステムにもつことで、サービスを提供する事業者は、ユーザ管理する機能をセンタシステムに任せることが可能となるという効果が得られる。
【図面の簡単な説明】
【図１】本発明の一実施形態の構成を示す図である。
【図２】図１に示す装置の詳細な構成を示すブロック図である。
【図３】ログイン／ログアウトの動作を示すシーケンス図である。
【図４】サービス開始／終了の動作を示すシーケンス図である。
【図５】データベース中のデータテーブルの構造を示す説明図である。
【図６】ページアクセスの動作を示すシーケンス図である。
【図７】情報配信の動作を示すシーケンス図である。
【図８】情報提供者トリガの情報配信の動作を示すシーケンス図である。
【図９】車両情報トリガの情報配信の動作を示すシーケンス図である。
【符号の説明】
１・・・センタシステム
１１・・・端末ＧＷ層
１２・・・要求受付部
１３・・・ＳＳページアクセス部
１４・・・配信制御部
１５・・・端末管理データベース
１６・・・サービスサーバＧＷ層
１７・・・配信受付部
１８・・・ＳＳ管理データベース
２・・・サービスサーバ
２１・・・サービス管理部
２２・・・配信管理部
２３・・・登録受付部
２４・・・配信情報データベース
３・・・ネットワーク
４・・・インターネット
５・・・移動通信網
６・・・端末
６１・・・情報受信部
６２・・・情報送信部
７・・・情報提供者端末
【図１】
2004280703.tif 000003
【図２】
2004280703.tif 000004
【図３】
2004280703.tif 000005
【図４】
2004280703.tif 000006
【図５】
2004280703.tif 000007
【図６】
2004280703.tif 000008
【図７】
2004280703.tif 000009
【図８】
2004280703.tif 000010
【図９】
2004280703.tif 000011